(57)【要約】【課題】照射範囲をより均一に照射することができる医療用照明装置を提供する。【解決手段】医療用照明装置１００に、光束を出射する少なくとも１つの光源１と、光源１が出射した光束を導光する導光板２と、を備え、導光板２は、環状形状であり、環状形状の環方向に延在する第１の反射面２１と、第１の反射面２１に対向する第２の反射面２２と、を有し、第１の反射面２１は、少なくとも、光源１から入射した光束及び第２の反射面２２が反射した光束を反射又は透過し、第２の反射面２２は、少なくとも、光源１から入射した光束及び第１の反射面２１が反射した光束を反射し、第１の反射面２１と第２の反射面２２との距離は、光源１からの位置が離れるほど小さい。【選択図】図２
2014116079.tif 000002
【特許請求の範囲】
【請求項１】
光束を出射する少なくとも１つの光源と、
前記光源が出射した光束を導光する導光板と、
を備え、
前記導光板は、
環状形状であり、
前記環状形状の環方向に延在する第１の反射面と、
前記第１の反射面に対向する第２の反射面と、を有し、
前記第１の反射面は、少なくとも、前記光源から入射した光束及び前記第２の反射面が反射した光束を反射又は透過し、
前記第２の反射面は、少なくとも、前記光源から入射した光束及び前記第１の反射面が反射した光束を反射し、
前記第１の反射面と前記第２の反射面との距離は、前記光源からの位置が離れるほど小さい医療用照明装置。
【請求項２】
前記第２の反射面は、複数の反射面を備え、
前記複数の反射面と前記第１の反射面との距離は、前記光源から位置が離れるほど小さい請求項１に記載の医療用照明装置。
【請求項３】
前記複数の反射面は、前記光源側から順に、前記光源から入射した光束又は前記第１の反射面が反射した光束を反射する鏡面反射面と、前記光源から入射した光束又は前記第１の反射面が反射した光束を乱反射する乱反射面と、を有する請求項２に記載の医療用照明装置。
【請求項４】
前記導光板は、前記環状形状の環方向において前記光源から最も離れた位置に、前記導光板の屈折率とは異なる屈折率の屈折層を有する請求項１乃至３の何れか一項に記載の医療用照明装置。
【請求項５】
光束を出射する複数の光源と、
前記複数の光源が出射した光束をそれぞれ導光する複数の導光板と、
を備え、
前記複数の導光板は、
弧形状であり、前記複数の導光板がその弧方向に連なることにより全体として環状形状を形成し、
複数の前記導光板は、
前記弧方向に延在する第１の反射面と、
前記第１の反射面に対向する第２の反射面と、を有し、
前記第１の反射面は、少なくとも、前記光源から入射した光束及び前記第２の反射面が反射した光束を反射又は透過し、
前記第２の反射面は、少なくとも、前記光源から入射した光束及び前記第１の反射面が反射した光束を反射し、
前記第１の反射面と前記第２の反射面との距離は、前記光源からの位置が離れるほど小さい医療用照明装置。
【請求項６】
前記第２の反射面は、複数の反射面を備え、
前記複数の反射面と前記第１の反射面との距離は、前記光源から位置が離れるほど小さい請求項５に記載の医療用照明装置。
【請求項７】
前記複数の反射面は、前記光源側から順に、前記光源から入射した光束又は前記第１の反射面が反射した光束を反射する鏡面反射面と、前記光源から入射した光束又は前記第１の反射面が反射した光束を乱反射する乱反射面と、を有する請求項６に記載の医療用照明装置。
【請求項８】
前記導光板は、前記光源から最も離れた位置に、前記導光板の屈折率とは異なる屈折率の屈折層を有する請求項５乃至７の何れか一項に記載の医療用照明装置。
【発明の詳細な説明】
【技術分野】
【０００１】
本発明は医療用照明装置に関する。
【背景技術】
【０００２】
特許文献１には、複数のＬＥＤをリング状に並べた医療用照明装置が記載されている。
また、特許文献２には、光源からの照明光を光ファイババンドルにより電子内視鏡の挿入部の先端に伝播して射出することが記載されている。
【先行技術文献】
【特許文献】
【０００３】
【特許文献１】特開２０１２−０８０９８１号公報
【特許文献２】特開２０１１−０１１００７号公報
【発明の概要】
【発明が解決しようとする課題】
【０００４】
しかしながら、特許文献１、２では、照射範囲を均一に照射することができないという問題がある。そのため、特許文献１、２では、ハレーションが生じる、無影灯とならないという問題がある。
【課題を解決するための手段】
【０００５】
第１の実施の形態に係る医療用照明装置は、光束を出射する少なくとも１つの光源と、前記光源が出射した光束を導光する導光板と、を備える。また、前記導光板は、環状形状であり、前記環状形状の環方向に延在する第１の反射面と、前記第１の反射面に対向する第２の反射面と、を有する。また、前記第１の反射面は、少なくとも、前記光源から入射した光束及び前記第２の反射面が反射した光束を反射又は透過する。また、前記第２の反射面は、少なくとも、前記光源から入射した光束及び前記第１の反射面が反射した光束を反射する。また、前記第１の反射面と前記第２の反射面との距離は、前記光源からの位置が離れるほど小さい。
【０００６】
第２の実施の形態に係る医療用照明装置は、光束を出射する複数の光源と、前記複数の光源が出射した光束をそれぞれ導光する複数の導光板と、を備える。また、前記複数の導光板は、弧形状であり、前記複数の導光板がその弧方向に連なることにより全体として環状形状を形成する。また、複数の前記導光板は、前記弧方向に延在する第１の反射面と、
前記第１の反射面に対向する第２の反射面と、を有する。また、前記第１の反射面は、少なくとも、前記光源から入射した光束及び前記第２の反射面が反射した光束を反射又は透過する。また、前記第２の反射面は、少なくとも、前記光源から入射した光束及び前記第１の反射面が反射した光束を反射する。また、前記第１の反射面と前記第２の反射面との距離は、前記光源からの位置が離れるほど小さい。
【発明の効果】
【０００７】
本発明により、照射範囲をより均一に照射することができる医療用照明装置を提供することができる。
【図面の簡単な説明】
【０００８】
【図１】本発明の実施の形態に係る医療用照明装置の配置例を示す斜視図である。
【図２】本発明の実施の形態に係る医療用照明装置の配置例を示す斜視図である。
【図３】本発明の実施の形態に係る医療用照明装置の配置例を示す斜視図である。
【図４】本発明の実施の形態に係る医療用照明装置の配置例を示す斜視図である。
【図５】本発明の実施の形態に係る導光板の側面形状を説明する模式図である。
【図６】実施の形態１に係る医療用照明装置の光源及び導光板を示す斜視図である。
【図７】実施の形態２に係る医療用照明装置の光源及び導光板を示す斜視図である。
【発明を実施するための形態】
【０００９】
以下、本発明を適用可能な実施の形態について説明する。なお、本発明は、下記の実施の形態に限定されるものではない。
図１〜４を参照して、本発明の実施の形態に係る医療用照明装置１００を説明する。
医療用照明措置１００は、図１〜４に示すように、光束を出射する少なくとも１つの光源１と、光源１が出射した光束を導光する導光板２と、を備える。
【００１０】
光源１は、ＬＥＤ（Ｌｉｇｈｔ  Ｅｍｉｔｔｉｎｇ  Ｄｉｏｄｅ）等であり、光源１が出射する光束は、発散光、平行光（並行光）、収束光の何れであっても良い。
【００１１】
導光板２は、環状形状、又は、弧形状である。
また、導光板２が弧形状である場合、複数の導光板２がその弧方向に連なることにより全体として環状形状を形成する。また、例えば、光源１と導光板２とが弧方向に交互に配置され、複数の導光板２がその弧方向に光源１を介して連なっていてもよい。これにより、複数の導光板２は、全体として環状形状を形成する。
【００１２】
患者の体内に挿入される内視鏡等の医療用装置は、管状形状を有している。そして、本発明の実施の形態に係る医療用照明装置１００は、当該管状形状の先端部分に設けられることを想定している。そのため、本発明の実施の形態に係る医療用照明装置１００において、医療用装置の当該管状形状の先端部分の形状に合わせて、導光板２を環状形状に配置する。これにより、本発明の医療用照明装置１００は、照明範囲をより均一に照射することを図る。
なお、導光板２が環状形状である場合、医療用照明装置１００において、光源１の数と導光板２の数とは一致していなくても良い。
一方、導光板２が弧形状である場合、医療用照明装置１００において、光源１の数と導光板２の数とは一致していることが好ましい。これにより、医療用照明装置１００がより均一に照明範囲を照射することができる。
【００１３】
また、環状形状の導光板２は、当該環状形状の環方向に延在する第１の反射面２１と、第１の反射面２１に対向する第２の反射面２２と、を有する。
また、第１の反射面２１が第２の反射面２２よりも医療用装置の先端側に配置されるように、医療用照明装置１００は医療用装置に設置される。
【００１４】
また、弧形状の導光板２は、当該弧方向に延在する第１の反射面２１と、第１の反射面２１に対向する第２の反射面２２と、を有する。
また、第１の反射面２１が第２の反射面２２よりも医療用装置の先端側に配置されるように、医療用照明装置１００は医療用装置に設置される。
なお、導光板２の第１の反射面２１、第２の反射面２２以外の面（側面）は、反射面であってもよいし、光を透過する透過面であってもよい。
【００１５】
また、環状形状又は弧形状の導光板２において、第１の反射面２１は、少なくとも、光源１から入射した光束及び第２の反射面２２が反射した光束を反射又は透過する。
より具体的には、第１の反射面２１は、光源１から入射した光束の一部を反射し、他の一部を全反射する。換言すれば、第１の反射面２１は、光源１から入射した光束の一部を透過する。第１の反射面２１において反射（透過）するか、全反射するかは、光源１から入射した光束に含まれる光線の入射角度によって、決定される。
同様に、第１の反射面２１は、第２の反射面２２が反射した光束の一部を反射（透過）し、他の一部を全反射する。第１の反射面２１において反射（透過）するか、全反射するかは、第２の反射面２２から入射した光束に含まれる光線の入射角度によって、決定される。
また、導光板２の第１の反射面２１、第２の反射面２２以外の面（側面）が反射面である場合、これらの面により反射された光束を、第１の反射面２１は反射（全反射）又は透過する。
【００１６】
また、第２の反射面２２は、少なくとも、光源１から入射した光束及び第１の反射面２１が反射した光束を反射又は透過する。
より具体的には、第２の反射面２２は、光源１から入射した光束の一部を反射（透過）し、他の一部を全反射する。第２の反射面２２において反射（透過）するか、全反射するかは、光源１から入射した光束に含まれる光線の入射角度によって、決定される。
同様に、第２の反射面２２は、第１の反射面２１が反射した光束の一部を反射（透過）し、他の一部を全反射する。第２の反射面２２において反射（透過）するか、全反射するかは、第１の反射面２１から入射した光束に含まれる光線の入射角度によって、決定される。
また、導光板２の第１の反射面２１、第２の反射面２２以外の面（側面）が反射面である場合、これらの面により反射された光束を、第２の反射面２２は反射（全反射）又は透過する。
また、導光板２の第１の反射面２１及び第２の反射面２２以外の面が反射面である場合、当該反射面は、当該反射面に入射する光束を反射し、一部を透過する。
【００１７】
このような構成により、導光板２は、第１の反射面２１及び第２の反射面２２において光束を反射又は全反射することにより、光束を導光する。また、導光板２の第１の反射面２１及び第２の反射面２２以外の面が反射面である場合、導光板２は、当該反射面において光束を反射又は全反射することによっても、光束を導光する。また、導光板２の第１の反射面２１及び第２の反射面２２を含む全面を透過した光束により、導光板２全体が均一に光る。これにより、医療用照明装置１００は、照明範囲をより均一に照射する。
【００１８】
また、第１の反射面２１と第２の反射面２２との距離は、光源１からの位置が離れるほど小さい。これにより、導光板２の第１の反射面２１が均一に光ることができる。すなわち、医療用照明装置１００の照射ムラを低減することができる。
【００１９】
図５に、本実施の形態に係る導光板２の側面形状を説明する模式図を示す。図５に示すように、第２の反射面２２は、複数の反射面２２１を備える。そして、複数の反射面２２１と第１の反射面２１との距離は、光源１から位置が離れるほど小さい。換言すれば、第２の反射面２２は、階段状の形状を有している。
【００２０】
また、複数の反射面２２１は、光源１側から順に、光源１から入射した光束又は第１の反射面２１が反射した光束を反射する鏡面反射面２２２と、光源１から入射した光束又は第１の反射面２１が反射した光束を乱反射（拡散反射）する乱反射面２２３と、を有する。
換言すれば、第２の反射面２２において、光源１側から順に、鏡面反射面２２２と乱反射面２２３とが交互に配置されている。
乱反射面２２３において光束が乱反射されることにより、導光板２の一の反射面２２１が属する領域から、当該一の反射面２２１の乱反射面２２３に隣接する他の反射面２２１が属する領域へ、光束がより効果的に伝播される。すなわち、乱反射面２２３を有することにより、導光板２は、光源１から入射した光をより効果的に導光することができる。
なお、第２の反射面２２の形状は、本実施の形態に限定されるものではなく、例えば、テーパー状の形状であってもよい。
【００２１】
また、導光板２は、一般的な光学硝子又はプラスチックを主材として形成される。また、導光板２は、金型成形により製造されてもよいし、削りだし加工により製造されてもよい。
また、導光板２の反射面は、シルク印刷加工やレーザ加工により成形されてもよいし、金型により成形されてもよい。
【００２２】
図１〜４は、本発明の実施の形態に係る医療用照明装置１００の配置例を示している。
図１に示す医療用照明装置１００は、２つの光源１と、２つの導光板２とを備える。また、２つの導光板２は、略円周形状（環状形状）を半分に分割してなる弧形状を有している。また、２つの導光板２は、光源１を介してその弧方向に連なることにより全体として環状形状を形成する。そして、一の光源１が出射した光束を一の導光板２が導光し、他の光源１が出射した光束を他の導光板２が導光する。換言すれば、２つの導光板２は、２つの光源１が出射した光束をそれぞれ反射又は全反射しながら導光する。また、２つの導光板２は、２つの光源１が出射した光束をそれぞれ一部透過することにより、当該導光板２全体が均一に光る。
【００２３】
図２に示す医療用照明装置１００は、２つの光源１と、１つの導光板２とを備える。２つの光源１は、略円周形状（環状形状）の導光板２の当該円の中心に対して対称な位置に配置されている。また、２つの光源１が光束を出射する方向は、互いに逆の方向となっている。また、２つの光源１は、導光板２の円周方向に沿って光束を出射する。そして、導光板２は、２つの光源１が出射した光束を反射又は全反射しながら導光する。また、導光板２は、２つの光源１が出射した光束を一部透過することにより、当該導光板２全体が均一に光る。
【００２４】
図３に示す医療用照明装置１００は、図１に示す医療用照明装置１００と同様に、２つの光源１と２つの導光板２とを備える。また、２つの導光板２は、略円周形状（環状形状）を半分に分割してなる弧形状を有している。しかし、図３に示す医療用照明装置１００では、一の導光板２の端部が、他方の導光板２の端部に連なった光源１の内側に配置されるように、２つの導光板２が連なっている点が、図１に示す医療用照明装置１００とは異なっている。すなわち、２つの導光板２は、略円周形状の径方向においてずれて連なっている。
【００２５】
図４に示す医療用装置１００は、図１に示す医療用照明装置１００と同様に、２つの光源１と２つの導光板２とを備える。また、２つの導光板２は、略円周形状（環状形状）を半分に分割してなる弧形状を有している。しかし、図４に示す医療用照明装置１００では、一の導光板２の端部が、他方の導光板２の端部に連なった光源１の上側に配置されるように、２つの導光板２が連なっている点が、図１に示す医療用照明装置１００とは異なっている。すなわち、２つの導光板２は、略円周形状が含まれる面に交差する方向においてずれて連なっている。
なお、本発明に係る医療用照明装置１００における光源１及び導光板２の配置は、図１〜図４に示す配置例に限定されない。
【００２６】
実施の形態１．
実施の形態１に係る医療用照明装置１００Ａについて図６を参照しながら説明する。図６は、実施の形態１に係る医療用照明装置１００Ａの光源１Ａ及び導光板２Ａを示す斜視図である。
図６に示すように、医療用照明装置１００Ａは、２つの光源１Ａ、２つの導光板２Ａを備える。
【００２７】
また、２つの導光板２Ａは、略円周形状（環状形状）を半分に分割してなる弧形状を有している。また、２つの導光板２Ａは、その弧方向に連なることにより全体として略円周形状を形成する。
また、一の光源１Ａは、一の導光板２Ａの一方の端部に対向し、当該導光板２Ａに光束を出射する。同様に、他の光源１Ａは、他の導光板２Ａの一方の端部に対向し、当該導光板２Ａに光束を出射する。
【００２８】
また、２つの導光板２Ａは、当該弧方向に延在する第１の反射面２１Ａと、第１の反射面２１Ａに対向する第２の反射面２２Ａと、を有する。なお、第１の反射面２１Ａが第２の反射面２２Ａよりも医療用装置の先端側に配置されるように、医療用照明装置１００Ａは医療用装置に設置される。
また、導光板２Ａの第１の反射面２１Ａ、第２の反射面２２Ａ以外の面（側面）は、反射面であってもよいし、光を透過する透過面であってもよい。
【００２９】
また、第１の反射面２１Ａは、少なくとも、光源１Ａから入射した光束及び第２の反射面２２Ａが反射した光束を反射又は全反射する。また、第１の反射面２１Ａは、少なくとも、光源１Ａから入射した光束及び第２の反射面２２Ａが反射した光束を一部透過する。
また、導光板２Ａの第１の反射面２１Ａ、第２の反射面２２Ａ以外の面（側面）が反射面である場合、これらの面により反射された光束を、第１の反射面２１Ａは反射（全反射）又は透過する。
【００３０】
また、第２の反射面２２Ａは、少なくとも、光源１Ａから入射した光束及び第１の反射面２１Ａが反射した光束を反射又は全反射する。また、第２の反射面２２Ａは、少なくとも、光源１Ａから入射した光束及び第１の反射面２１Ａが反射した光束を一部透過する。
また、導光板２Ａの第１の反射面２１Ａ、第２の反射面２２Ａ以外の面（側面）が反射面である場合、これらの面により反射された光束を、第２の反射面２２Ａは反射（全反射）又は透過する。
また、導光板２Ａの第１の反射面２１Ａ及び第２の反射面２２Ａ以外の面が反射面である場合、当該反射面は、当該反射面に入射する光束を反射し、一部を透過する。
【００３１】
このような構成により、導光板２Ａは、第１の反射面２１Ａ及び第２の反射面２２Ａにおいて光束を反射又は全反射することにより、光束を導光する。また、導光板２Ａの第１の反射面２１Ａ及び第２の反射面２２Ａ以外の面が反射面である場合、導光板２Ａは、当該反射面において光束を反射又は全反射することによっても、光束を導光する。また、導光板２Ａの第１の反射面２１Ａ及び第２の反射面２２Ａを含む全面を透過した光束により、導光板２Ａ全体が均一に光る。これにより、医療用照明装置１００Ａは、照明範囲をより均一に照射する。
【００３２】
また、第１の反射面２１Ａと第２の反射面２２Ａとの距離は、光源１Ａからの位置が離れるほど小さい。
より具体的には、導光板２Ａの側面形状は、図５に示す導光板２の側面形状と同様の形状となっている。換言すれば、導光板２Ａの第２の反射面２２Ａは、複数の反射面２２１Ａを備える。そして、複数の反射面２２１Ａと第１の反射面２１Ａとの距離は、光源１Ａから位置が離れるほど小さい。換言すれば、第２の反射面２２Ａは、階段状の形状を有している。
【００３３】
また、複数の反射面２２１Ａは、光源１Ａ側から順に、鏡面反射面２２２Ａと乱反射面２２３Ａと、を有する。乱反射面２２３Ａにおいて光束が乱反射されることにより、導光板２Ａの一の反射面２２１Ａが属する領域から、当該一の反射面２２１Ａの乱反射面２２３Ａに隣接する他の反射面２２１Ａが属する領域へ、光束がより効果的に伝播される。すなわち、乱反射面２２３Ａを有することにより、導光板２Ａは、光源１Ａから入射した光をより効果的に導光することができる。
【００３４】
導光板２Ａの第２の反射面２２Ａが階段状の形状を有することにより、導光板２Ａの肉厚は、その弧方向に沿って光源１Ａから遠ざかる程、薄くなっている。また、２つの導光板２Ａは、第１の反射面２１Ａが略同一平面上に位置するように、連なっている。そのため、２つの導光板２Ａが連なる部分において、一方の導光板２Ａの肉厚は、他方の導光板２Ａの肉厚より薄くなっている。換言すれば、当該２つの導光板２Ａが連なることにより互いに対向する対向面において、一方の導光板２Ａの対向面が他方の導光板２Ａの対向面よりも第２の反射面２２Ａ側に延出している。そして、光源１Ａは、導光板２Ａの当該延出した面に対向し、当該導光板２Ａに対して光束を出射するようになっている。
【００３５】
また、２つの導光板２Ａは、わずかに離間して、連なっている。これにより、２つの導光板２Ａが連なる部分には、導光板２Ａの屈折率とは異なる屈折率の屈折層２３が形成される。換言すれば、導光板２Ａは、その弧方向において光源１Ａから最も離れた位置に、導光板２Ａの屈折率とは異なる屈折率の屈折層２３を有する。
これにより、光源１Ａから導光板２Ａに入射した光束は、当該導光板２Ａにより導光された後、当該導光板２Ａの光源１Ａとは反対側の端部から出射され、屈折層２３に入射し、屈折層２３において一部反射されることにより、当該導光板２Ａに再入射する。これにより、当該導光板２Ａの当該光源１Ａから最も離れた位置において、当該導光板２Ａが暗くなるのを防ぐことができる。
また、一方の導光板２Ａの端部から出射された光束が当該屈折層２３において一部透過され、他方の導光板２Ａに入射される。すなわち、一方の導光板２Ａにおいて導光された光束が他方の導光板２Ａにおいて再利用される。これにより、導光板２Ａが暗くなるのを防ぐことができる。
【００３６】
同様の効果は、例えば、図２に示す導光板２において、一方の光源１から最も離れた位置（他方の光源１の手前の位置）に、導光板２の屈折率とは異なる屈折率の屈折層２３を設けることによっても得られる。当該屈折層２３は、図２に示す導光板２において、例えば、一方の光源１から最も離れた位置（他方の光源１の手前の位置）に、スリットを設けることによっても形成することができる。
【００３７】
以上に説明した実施の形態１に係る医療用照明装置１００Ａによれば、第１の反射面２１Ａと第２の反射面２２Ａとの距離は、光源１Ａからの位置が離れるほど小さい。より具体的には、複数の反射面２２１Ａと第１の反射面２１Ａとの距離は、光源１Ａから位置が離れるほど小さい。換言すれば、第２の反射面２２Ａは、階段状の形状を有している。
これにより、導光板２Ａは均一に光ることができる。そのため、医療用照明装置１００Ａは、照明範囲をより均一に照射することができる。
【００３８】
また、複数の反射面２２１Ａは、光源１Ａ側から順に、鏡面反射面２２２Ａと乱反射面２２３Ａと、を有する。
これにより、導光板２Ａの一の反射面２２１Ａが属する領域から、当該一の反射面２２１Ａの乱反射面２２３Ａに隣接する他の反射面２２１Ａが属する領域へ、光束がより効果的に伝播される。すなわち、乱反射面２２３Ａを有することにより、導光板２Ａは、光源１Ａから入射した光をより効果的に導光することができる。
【００３９】
また、導光板２Ａは、その弧方向において光源１Ａから最も離れた位置に、導光板２Ａの屈折率とは異なる屈折率の屈折層２３を有する。
これにより、光源１Ａから導光板２Ａに入射した光束は、当該導光板２Ａにより導光された後、当該導光板２Ａの光源１Ａとは反対側の端部から出射され、屈折層２３に入射し、屈折層２３において一部反射されることにより、当該導光板２Ａに再入射する。これにより、当該導光板２Ａの当該光源１Ａから最も離れた位置において、当該導光板２Ａが暗くなるのを防ぐことができる。
また、一方の導光板２Ａにおいて導光された光束が他方の導光板２Ａにおいて再利用される。これにより、導光板２Ａが暗くなるのを防ぐことができる。
【００４０】
実施の形態２．
実施の形態２に係る医療用照明装置１００Ｂについて図７を参照しながら説明する。図７は、実施の形態２に係る医療用照明装置１００Ｂの光源１Ｂ及び導光板２Ｂを示す斜視図である。
図７に示すように、医療用照明装置１００Ｂは、１つの光源１Ｂ、１つの導光板２Ｂを備える。
【００４１】
また、導光板２Ｂは、略円周形状の環状形状を有する。また、導光板２Ｂは、当該環方向に延在する第１の反射面２１Ｂと、第１の反射面２１Ｂに対向する第２の反射面２２Ｂと、を有する。また、光源１Ｂは、導光板２Ｂの第２の反射面２２Ｂに対向し、当該導光板２Ｂに光束を出射する。
具体的には、導光板２Ｂの光源１Ｂが対向する部分は、第１の反射面２１Ｂ側から切り欠かれた略Ｖ字形状のスリット２４を有する。これにより、光源１Ｂは、図７の光源１Ｂからみて左右両方向に、導光板２Ｂの環方向に光束を出射することができる。
より具体的には、光源１Ｂから出射された光束は、当該略Ｖ字によって形成された反射面によって、図７の光源１Ｂからみて左右両方向に分割され、当該左右両方向に分割された光束は、導光板２Ｂの環方向に沿う方向に反射される。
【００４２】
なお、第１の反射面２１Ｂが第２の反射面２２Ｂよりも医療用装置の先端側に配置されるように、医療用照明装置１００Ｂは医療用装置に設置される。
また、導光板２Ｂの第１の反射面２１Ｂ、第２の反射面２２Ｂ以外の面（側面）は、反射面であってもよいし、光を透過する透過面であってもよい。
【００４３】
また、第１の反射面２１Ｂは、少なくとも、光源１Ｂから入射した光束及び第２の反射面２２Ｂが反射した光束を反射又は全反射する。また、第１の反射面２１Ｂは、少なくとも、光源１Ｂから入射した光束及び第２の反射面２２Ｂが反射した光束を一部透過する。
また、導光板２Ｂの第１の反射面２１Ｂ、第２の反射面２２Ｂ以外の面（側面）が反射面である場合、これらの面により反射された光束を、第１の反射面２１Ｂは反射（全反射）又は透過する。
【００４４】
また、第２の反射面２２Ｂは、少なくとも、光源１Ｂから入射した光束及び第１の反射面２１Ｂが反射した光束を反射又は全反射する。また、第２の反射面２２Ｂは、少なくとも、光源１Ｂから入射した光束及び第１の反射面２１Ｂが反射した光束を一部透過する。
また、導光板２Ｂの第１の反射面２１Ｂ、第２の反射面２２Ｂ以外の面（側面）が反射面である場合、これらの面により反射された光束を、第２の反射面２２Ｂは反射（全反射）又は透過する。
また、導光板２Ｂの第１の反射面２１Ｂ及び第２の反射面２２Ｂ以外の面が反射面である場合、当該反射面は、当該反射面に入射する光束を反射し、一部を透過する。
【００４５】
このような構成により、導光板２Ｂは、第１の反射面２１Ｂ及び第２の反射面２２Ｂにおいて光束を反射又は全反射することにより、光束を導光する。また、導光板２Ｂの第１の反射面２１Ｂ及び第２の反射面２２Ｂ以外の面が反射面である場合、導光板２Ｂは、当該反射面において光束を反射又は全反射することによっても、光束を導光する。
具体的には、導光板２Ｂは、光源１Ｂから出射された光束を、図７の光源１Ｂからみて左右両方向に、導光板２Ｂの環方向に沿って、導光する。
また、導光板２Ｂの第１の反射面２１Ｂ及び第２の反射面２２Ｂを含む全面を透過した光束により、導光板２Ｂ全体が均一に光る。これにより、医療用照明装置１００Ｂは、照明範囲をより均一に照射する。
【００４６】
また、第１の反射面２１Ｂと第２の反射面２２Ｂとの距離は、光源１Ｂからの位置が離れるほど小さい。換言すれば、導光板２Ｂの肉厚は、光源１Ｂが対向する部分から、当該導光板２Ｂの略円周形状の中心に対して光源１Ｂと対照な位置に向かうにつれて薄くなっている。これにより、導光板２Ｂは均一に光ることができる。そのため、医療用照明装置１００Ｂは、照明範囲をより均一に照射することができる。
なお、図７において、導光板２Ｂの第２の反射面２２Ｂは、テーパー状の形状となっているが、これに限定されるものではない。例えば、導光板２Ｂの第２の反射面２２Ｂは、実施の形態１に係る導光板２Ａの第２の反射面２２Ａと同様に、階段状の形状を有していてもよい。
【００４７】
なお、導光板２Ｂの光源１Ｂから最も離れた位置に、導光板２Ｂの屈折率とは異なる屈折率の屈折層が形成されていてもよい。導光板２Ｂが当該位置に当該屈折層を有することにより、光源１Ｂから最も離れた位置において導光板２Ａが暗くなるのを防ぐことができる。
【００４８】
以上に説明した実施の形態２に係る医療用照明装置１００Ｂによれば、実施の形態１に係る医療用照明装置１００Ａと同様の効果を得ることができる。特に、実施の形態２に係る医療用照明装置１００Ｂによれば、より少ない光源１Ｂと導光板２Ｂにより、医療用照明装置１００Ｂを構成することができる。
【００４９】
以上、本発明者によってなされた発明を実施の形態に基づき具体的に説明したが、本発明は上述の実施の形態に限定されるものではなく、趣旨を逸脱しない範囲において種々の変更が可能であることはいうまでもない。
例えば、図６において、２つの導光板２Ａが互いに対向する面は、第１の反射面２１Ａに対して略直交する面となっているが、２つの導光板２Ａが互いに対向する面と第１の反射面２１Ａとの角度は図６に限定されるものではない。
また、本発明の実施の形態では、医療用照明装置１００に備えられる光源１の数が最大で２つ、導光板２の数が最大で２つの場合を示しているが、本発明に係る医療照明装置に備えられる光源及び導光板の数はこれに限定されるものではない。例えば、医療用照明装置は、３つの光源と３つの導光板を備えていてもよい。
【符号の説明】
【００５０】
１、１Ａ、１Ｂ  光源
２、２Ａ、２Ｂ  導光板
２１、２１Ａ、２１Ｂ  第１の反射面
２２、２２Ａ、２２Ｂ  第２の反射面
２２１、２２１Ａ  複数の反射面
２２２、２２２Ａ  鏡面反射面
２２３、２２３Ａ  乱反射面
２３  屈折層
２４  略Ｖ字形状のスリット
１００、１００Ａ、１００Ｂ  医療用照明装置
【図１】
2014116079.tif 000003
【図２】
2014116079.tif 000004
【図３】
2014116079.tif 000005
【図４】
2014116079.tif 000006
【図５】
2014116079.tif 000007
【図６】
2014116079.tif 000008
【図７】
2014116079.tif 000009